(57)【要約】【課題】未知の相手とコミュニケーションを行うことが可能な通信システムを提供する。【解決手段】情報センタは、ユーザ端末から、他の会員との会話を要求する通話処理要求、及び、会話に関する要望である要望情報を受信すると（Ｓ２３０）、会員情報データベースを参照し、同じく他の会員との会話を要求している会員の中から、要望情報に基づき、会話の相手として適切な会員を検索する（Ｓ２４０）。そして、これらの会員に係るユーザ端末同士の通話処理を開始させる（Ｓ３３５、Ｓ３４０）。【選択図】図５
2008301220.tif 000002
【特許請求の範囲】
【請求項１】
情報センタと複数の端末とから構成され、前記端末はリアルタイムに音を集音し、集音した音に基づき音データを生成し、生成した音データを、前記情報センタを介して他の前記端末に送信する処理と、他の前記端末から前記情報センタを介して受信した音データに基づき、リアルタイムに音を出力する処理とを有する通話処理を行うことが可能な通信システムにおいて、
前記端末は、前記情報センタと通信を行う端末側通信手段と、ユーザからの要求を受け付ける受付手段と、種々の制御を行う端末側制御手段とを備え、
前記情報センタは、前記端末と通信を行う情報センタ側通信手段と、種々の情報を記憶する情報センタ側記憶手段と、種々の制御を行う情報センタ側制御手段とを備え、
前記端末側制御手段は、前記受付手段を介してユーザから受け付けた、他の前記端末との前記通話処理を要求する通話処理要求を、前記端末側通信手段を介して前記情報センタに送信し、
前記情報センタ側記憶手段は、前記端末を特定する情報と、前記端末のユーザの個人情報とを少なくとも有する会員情報から構成される会員リストを記憶しており、
前記情報センタ側制御手段は、前記情報センタ側通信手段を介して受信した前記通話処理要求の送信元である前記端末をスタンバイ状態である前記端末とする処理と、前記スタンバイ状態である前記端末のうち、この端末に係る会員情報に関する条件に合致する複数の前記端末を抽出する抽出処理と、抽出した複数の前記端末による前記通話処理を開始させる処理とを行うこと、
を特徴とする通信システム。
【請求項２】
請求項１に記載の通信システムにおいて、
前記端末は、種々の情報をユーザに報知する報知手段を更に有し、
前記情報センタ側制御手段は、前記通話処理の相手となる前記端末に対し、前記情報センタ側記憶手段から読み出した前記会員情報を送信し、
前記端末側制御手段は、前記端末側通信手段を介して受信した前記会員情報を、前記報知手段を介してユーザに報知すること、
を特徴とする通信システム。
【請求項３】
請求項１又は請求項２に記載の通信システムにおいて、
前記端末側制御手段は、前記通話処理においてユーザが行なう会話に関する１又は２以上の要望を、前記受付手段を介して受け付け、前記受付手段を介して受け付けた前記会話に関する１又は２以上の要望を特定する情報である要望情報を生成し、生成した前記要望情報を、前記端末側通信手段を介して前記情報センタに送信し、
前記情報センタ側制御手段は、前記要望情報を、前記要望情報の送信元である前記端末を特定する情報と対応して前記情報センタ側記憶手段に記憶させ、
前記抽出処理における前記条件とは、前記スタンバイ状態である前記端末に係る会員情報に関する条件に、前記スタンバイ状態である前記端末に係る前記要望情報に関する条件を加えた条件であること、
を特徴とする通信システム。
【請求項４】
請求項３に記載の通信システムにおいて、
前記会話に関する要望とは、ユーザが前記通話処理において会話を行う相手に対し情報を提供するという要望と、ユーザが前記通話処理において会話を行う相手から情報を収集するという要望であること、
を特徴とする通信システム。
【請求項５】
請求項３又は請求項４に記載の通信システムにおいて、
前記会話に関する要望の一つは、ユーザが前記通話処理において行う会話の話題を指定する要望であること、
を特徴とする通信システム。
【請求項６】
請求項１から請求項５のいずれかに記載の通信システムにおいて、
前記情報センタ側制御手段は、前記スタンバイ状態に遷移した後所定の時間が経過した前記端末を、前記通話処理要求を受信する前の状態である通常状態とする処理を行うこと、
を特徴とする通信システム。
【請求項７】
請求項１から請求項６のいずれかに記載の通信システムにおいて、
前記端末は、この端末又はこの端末の一部を手に保持することなく前記通話処理において他のユーザと会話を行うための装置であるハンズフリー装置と通信を行うハンズフリー装置通信手段を有していること、
を特徴とする通信システム。
【請求項８】
請求項７に記載の通信システムにおいて、
前記端末側制御手段は、前記ハンズフリー装置が音声により前記端末の操作方法の説明を行うために必要な第一のデータを、前記ハンズフリー装置通信手段を介して送信する処理と、前記ハンズフリー装置が集音した音に基づくデータである第二のデータを、前記ハンズフリー装置通信手段を介して受信し、前記第二のデータに基づきユーザからの要求を受け付ける処理とを行うこと、
を特徴とする通信システム。
【請求項９】
請求項１から請求項８のいずれかに記載の通信システムにおいて、
前記情報センタは、リアルタイムに音を集音し、集音した音に基づき音データを生成し、生成した音データを前記端末に送信する処理と、前記端末から受信した音データに基づき、リアルタイムに音を出力する処理とを行い、
前記端末は、リアルタイムに音を集音し、集音した音に基づき音データを生成し、生成した音データを前記情報センタに送信する処理と、前記情報センタから受信した音データに基づき、リアルタイムに音を出力する処理とを行うこと、
を特徴とする通信システム。
【請求項１０】
請求項１から請求項９のいずれかに記載の通信システムにおける前記端末について記載した手段を備えることを特徴とする端末。
【請求項１１】
請求項１から請求項９のいずれかに記載の通信システムにおける前記情報センタについて記載した手段を備えることを特徴とする情報センタ。
【発明の詳細な説明】
【技術分野】
【０００１】
本発明は、情報センタと複数の端末とを備え、端末を用いてユーザ同士で会話を行うことができる通信システムに関する。
【背景技術】
【０００２】
ドライブの最中にレジャー施設やレストラン等の施設に関する情報が欲しくなる場合があるが、このような要望を満たすことを目的として、施設に関する情報をユーザに提供する装置が提案されている。例えば、特許文献１には、車両の現在地や車両の進行方向に基づきユーザにとって適切な施設の情報を提供することができる施設情報提供装置についての発明が記載されている。この施設情報提供装置によれば、ユーザは、施設の情報と共に、施設の混雑状況や、施設までの車両で移動した際の予測到着時間等の情報を得る事ができる。更に、ユーザは、この施設情報提供装置を介して施設の予約を行う事や、予約を行った後のフォローを受ける事が可能である。
【０００３】
しかし、特許文献１に記載の施設情報提供装置を用いて施設の情報を収集した場合、ユーザは施設情報提供装置に記憶されている情報しか得ることができないため、最新の情報が得られない可能性がある。また、この施設情報提供装置に対し施設の情報を提供する者は施設を運営する側の者であると予想され、実際に施設を利用した者の評価や、施設を利用した際の体験談等であるいわゆる口コミ情報等をこの施設情報提供装置から得ることは困難であると予想される。
【０００４】
ところで、長時間のドライブを行っている場合等、車両に乗っている人は退屈さを感じる場合がある。このような場合には、例えば、携帯電話により友人に電話をかけ、会話をすることにより退屈さを紛らわすことができる。
【０００５】
また、別の例を挙げると、特許文献２に記載の車載コミュニケーション装置を用いて、異なる車両に乗っている人とコミュニケーションをとることにより、退屈さを紛らわすことができる。特許文献２に記載の車載コミュニケーション装置では、音声と映像を介して異なる車両に乗っている人とコミュニケーションをとる事が可能である。従って、自車両に乗っている人に対してコミュニケーションを行う場合と同じように、他の車両に乗っている人とコミュニケーションを行うことができる。
【特許文献１】特開２００２−９８５３７号公報
【特許文献２】特開２００５−９８８６８号公報
【発明の開示】
【発明が解決しようとする課題】
【０００６】
未知の相手と会話をすることにより、友人等と会話をする場合とは異なった新鮮な気分を味わうことができ、新しい友人ができる可能性や、レジャー施設やレストラン等の施設に関する有益な口コミ情報を入手する可能性がある。従って、例えば、ドライブの最中に退屈さを感じた場合に未知の相手と会話をする事ができれば、退屈さを紛らわすことができる。また、レストラン等の施設に関する情報を収集している際に、未知の相手と会話をすることにより、有益な口コミ情報が得られる可能性がある。
【０００７】
しかし、携帯電話を用いて会話を行う場合は、一般的には友人等の既知の相手にしか電話をかけることができず、未知の相手とは会話をすることができない。また、特許文献２に記載の車載コミュニケーション装置を用いた場合であっても、相手が現在置かれている状況等を把握することができないため、未知の相手とコミュニケーションを行うことは困難である。
【０００８】
本発明は上記課題を解決するためになされたものであり、未知の相手とコミュニケーションを行うことが可能な通信システムを提供することを目的とする。
【課題を解決するための手段】
【０００９】
上記課題を解決するためになされた請求項１に記載の通信システムは、情報センタと複数の端末とから構成され、端末はリアルタイムに音を集音し、集音した音に基づき音データを生成し、生成した音データを、情報センタを介して他の端末に送信する処理と、他の端末から情報センタを介して受信した音データに基づき、リアルタイムに音を出力する処理とを有する通話処理を行うことが可能な通信システムにおいて、端末は、情報センタと通信を行う端末側通信手段と、ユーザからの要求を受け付ける受付手段と、種々の制御を行う端末側制御手段とを備える。そして、情報センタは、端末と通信を行う情報センタ側通信手段と、種々の情報を記憶する情報センタ側記憶手段と、種々の制御を行う情報センタ側制御手段とを備える。そして、端末側制御手段は、受付手段を介してユーザから受け付けた、他の端末との通話処理を要求する通話処理要求を、端末側通信手段を介して情報センタに送信し、情報センタ側記憶手段は、端末を特定する情報と、端末のユーザの個人情報とを少なくとも有する会員情報から構成される会員リストを記憶しており、情報センタ側制御手段は、情報センタ側通信手段を介して受信した通話処理要求の送信元である端末をスタンバイ状態である端末とする処理と、スタンバイ状態である端末のうち、この端末に係る会員情報に関する条件に合致する複数の端末を抽出する抽出処理と、抽出した複数の端末による通話処理を開始させる処理とを行う。
【００１０】
ここで、ユーザの個人情報とは、ユーザの氏名、性別、住所等に加え、ユーザの職業、年収等、ユーザを特定するために必要な情報のことである。また、ユーザの趣味、特技等のプロフィールを含んでいても良い。
【００１１】
こうすることにより、端末のユーザは、他のユーザとの会話を希望する旨の操作を行うことにより、同じく会話することを希望している他のユーザと会話を行うことができ、相手の状況等を知らなくても未知の相手と会話を行うことができる。また、情報センタは、情報センタに登録されているユーザの会員情報に基づき最適な会話の相手を選択する。従って、ユーザは会話の話題の選択や、会話の相手の選択等を行わなくても最適な相手と会話を行う事ができるため、簡単な操作により未知の相手と会話をすることができる。
【００１２】
尚、会話を開始させるための処理とは、例えば、情報センタが、抽出したスタンバイ状態である複数の端末のうちのいずれかの端末に対し、同時に抽出した他の端末の連絡先を送信することとしても良い。こうすることにより、他の端末の連絡先を受信した端末のユーザは、受信した連絡先に基づき端末同士の通信を開始し、未知の相手との会話を開始させることができる。
【００１３】
また、別の例として、この通信システムはＩＰ電話としての機能を有しており、情報センタはＩＰ電話サーバとして機能すると仮定した場合、会話を開始させるための処理として、情報センタが抽出した端末同士の電話回線を接続しても良い。こうすることにより、これらの端末のユーザ同士は会話を開始させることができる。
【００１４】
また、相手に関する情報が全くない状態で未知の相手と会話をすることに不安を感じるユーザも存在することが予想される。
そこで、請求項２に記載の通信システムでは、端末は、種々の情報をユーザに報知する報知手段を更に有し、情報センタ側制御手段は、通話処理の相手となる端末に対し、情報センタ側記憶手段から読み出した会員情報を送信し、端末側制御手段は、端末側通信手段を介して受信した会員情報を、報知手段を介してユーザに報知する。
【００１５】
こうすることにより、会話を行う相手の氏名や職業等を知ることができるため、ユーザは安心して未知の相手と会話をすることができる。
また、ユーザは、会話に関して何らかの要望を抱いている場合も想定される。
【００１６】
そこで、請求項３に記載の通信システムでは、端末側制御手段は、通話処理においてユーザが行なう会話に関する１又は２以上の要望を、受付手段を介して受け付け、受付手段を介して受け付けた会話に関する１又は２以上の要望を特定する情報である要望情報を生成し、生成した要望情報を、端末側通信手段を介して情報センタに送信する。そして、情報センタ側制御手段は、要望情報を、要望情報の送信元である端末を特定する情報と対応して情報センタ側記憶手段に記憶させ、抽出処理における条件とは、スタンバイ状態である端末に係る会員情報に関する条件に、スタンバイ状態である端末に係る要望情報に関する条件を加えた条件である。
【００１７】
こうすることにより、情報センタは、お互いの要望を満たすことができるユーザ同士の会話を開始させることが可能となり、ユーザは、自分の要望により合致した会話を楽しむことができる。
【００１８】
また、ユーザは、他のユーザから何らかの情報を収集することを目的としてこの情報システムを利用することや、施設の宣伝等を目的として情報を提供するためにこの情報システムを利用することができる。
【００１９】
そこで、請求項４に記載の通信システムでは、会話に関する要望は、ユーザが通話処理において会話を行う相手に対し情報を提供するという要望と、ユーザが通話処理において会話を行う相手から情報を収集するという要望である。
【００２０】
こうすることにより、情報センタは、情報の収集を希望しているユーザに係る端末と、情報の提供を希望しているユーザに係る端末を抽出し、これらの端末同士の通話処理を開始させることができる。従って、ユーザは、自分の目的により合致した会話を行うことができる。
【００２１】
また、ユーザは、会話の話題に関する要望を抱いている場合がある。
そこで、請求項５に記載の通信システムでは、会話に関する要望の一つは、ユーザが通話処理において行う会話の話題を指定する要望である。
【００２２】
こうすることにより、情報センタは、同じ話題に関する会話を希望しているユーザに係る端末を抽出し、これらの端末同士の通話処理を開始させることができる。従って、ユーザは、自分が希望している話題に関する会話を楽しむことができる。
【００２３】
更に、例えば、ユーザが、会話に関する要望として、夕食に関する情報の収集を端末に入力した場合、このユーザは、この通信システムのユーザである複数の飲食店の関係者から夕食に関する情報を収集することができる。従って、夕食に関する情報を収集するユーザは、夕食に関するいわゆる逆オークションを行うことができる。
【００２４】
また、通話処理要求を受け付けた端末に係るユーザの中から、会話に関する要望に合致する相手が見つからない場合もある。
そこで、請求項６に記載の通信システムでは、情報センタ側制御手段は、スタンバイ状態に遷移した後所定の時間が経過した端末を、通話処理要求を受信する前の状態である通常状態とする処理を行う。
【００２５】
こうすることにより、ユーザは、通話処理要求を解除するための操作を行う必要がなくなるため、端末の使い勝手を向上させることができる。
また、ユーザは車両を運転している最中に、この通信システムを利用する場合が想定される。
【００２６】
そこで、請求項７に記載の通信システムでは、端末は、この端末又はこの端末の一部を手に保持することなく通話処理において他のユーザと会話を行うための装置であるハンズフリー装置と通信を行うハンズフリー装置通信手段を有している。
【００２７】
こうすることにより、ユーザは、車両を運転している最中であってもこの通信システムを利用して会話を楽しむ事ができる。
また、車両を運転しているユーザは、端末の操作が困難であることが予想される。
【００２８】
そこで、請求項８に記載の通信システムでは、端末側制御手段は、ハンズフリー装置が音声により端末の操作方法の説明を行うために必要な第一のデータを、ハンズフリー装置通信手段を介して送信する処理と、ハンズフリー装置が集音した音に基づくデータである第二のデータを、ハンズフリー装置通信手段を介して受信し、第二のデータに基づきユーザからの要求を受け付ける処理とを行う。
【００２９】
こうすることにより、ユーザが車両を運転している最中であっても、容易に端末を操作し、この通信システムを利用することができる。
また、ユーザが会話に対して多くの要望を抱いている場合等、端末の操作に手間がかかる場合も予想され、このような操作が苦手であるユーザや、面倒に思うユーザが存在することが予想される。
【００３０】
そこで、請求項９に記載の通信システムでは、情報センタは、リアルタイムに音を集音し、集音した音に基づき音データを生成し、生成した音データを端末に送信する処理と、端末から受信した音データに基づき、リアルタイムに音を出力する処理とを行い、端末は、リアルタイムに音を集音し、集音した音に基づき音データを生成し、生成した音データを情報センタに送信する処理と、情報センタから受信した音データに基づき、リアルタイムに音を出力する処理とを行う。
【００３１】
こうすることにより、情報センタのオペレータがユーザと会話を行い、ユーザの要望を聞き出すことが可能となる。従って、ユーザは、面倒な操作を行わなくとも自分の要望と合致した会話を楽しむ事ができる。
【００３２】
ところで、請求項１から請求項９に記載した通信システムの端末を、単体で構成して市場に流通させても良い。また、請求項１から請求項９に記載した情報センタを単体で構成して市場に流通させても良い。端末及び情報センタを単体で構成しても、対応する端末又は情報センタと組み合わせることにより、上述した効果を奏する。
【発明を実施するための最良の形態】
【００３３】
以下、本発明の実施形態について図面を用いて説明する。尚、本発明の実施の形態は、下記の実施形態に何ら限定されることはなく、本発明の技術的範囲に属する限り種々の形態を採りうる。
【００３４】
［構成の説明］
図１は、通信システム１０の構成を示すブロック図である。通信システム１０は、情報センタ２０と、ユーザ端末７０とから構成されており、情報センタ２０は、通信ネットワーク６０を介してユーザ端末７０と接続されている。尚、図１には１台の情報センタ２０と１台のユーザ端末７０が記載されているが、実際には、通信システム１０は、１台の情報センタ２０と、２台以上のユーザ端末７０から構成される。
【００３５】
次に、通信システム１０を構成する情報センタ２０の詳細な構成について説明する。情報センタ２０は、会員情報データベース３０と、サーバ４０と、オペレータ端末５０から構成される。
【００３６】
尚、図１では、情報センタ２０は１台のオペレータ端末５０が記載されているが、実際には、情報センタ２０は、１台又は２台以上のオペレータ端末５０により構成される。
会員情報データベース３０は、通信システム１０を利用する全てのユーザの会員情報により構成されている（会員情報の詳細については後述する）。
【００３７】
サーバ４０は、図示しない外部通信機、及び通信ネットワーク６０を介してユーザ端末７０とデータの送受信を行い、更に、２台のユーザ端末同士の双方向通信を中継する機能を有する。また、サーバ４０は、会員情報データベース３０を構成する会員情報を読み出すと共に、会員情報を更新する。また、サーバ４０は、ユーザ端末７０に対し、会員情報データベース３０に記憶されている会員情報を送信することや、ユーザ端末７０から受信したデータに基づき会員情報を更新することができる。また、サーバ４０は、オペレータ端末５０に対しデータを出力すると共に、オペレータ端末５０からのデータの入力を受け付ける。更に、サーバ４０は、ユーザ端末７０とオペレータ端末５０との双方向通信を中継する機能を有する。
【００３８】
オペレータ端末５０は、図示しない操作部を介して、オペレータからの操作を受け付けると共に、図示しない表示部を介してオペレータに対し種々の情報を表示する。また、オペレータ端末５０は、サーバ４０に対してデータを出力すると共に、及びサーバ４０からのデータの入力を受け付ける。また、オペレータ端末５０は、サーバ４０を介して、会員情報データベース３０を構成する会員情報を参照することや、会員情報データベース３０を構成する会員情報を更新することができる。また、オペレータ端末５０は、サーバ４０及び通信ネットワーク６０を介してユーザ端末７０と通信を行う事が可能である。更に、オペレータ端末５０は、図示しないマイクを介して受け付けた音声に基づく音声データを、サーバ４０及び通信ネットワーク６０を介してユーザ端末７０に送信すると同時に、通信ネットワーク６０及びサーバ４０を介してユーザ端末７０から受信した音声データに基づく音声を、図示しないスピーカを介して出力する処理である通話処理を行う事ができる。
【００３９】
次に、通信システム１０を構成するユーザ端末７０の詳細な構成について、図２のブロック図を用いて説明する。ユーザ端末７０は、外部通信機７１と、マイク７２と、スピーカ７３と、制御部７４と、操作部７５、表示部７６と、無線ＬＡＮ通信部７７とを備える。
【００４０】
外部通信機７１は、通信ネットワーク６０と有線又は無線により接続し、通信ネットワーク６０を介して情報センタ２０と通信を行う部位である。
マイク７２は、ユーザが音声を入力（発話）するとその入力した音声に基づく電気信号（音声信号）を制御部７４に出力する部位である。
【００４１】
スピーカ７３は、制御部７４から入力された信号に基づき音声を出力する部位である。
制御部７４は、ＣＰＵ、ＲＯＭ、ＲＡＭ、Ｉ／Ｏ及びこれらを接続するバスライン等からなる周知のマイクロコンピュータを中心に構成される。制御部７４はＲＯＭに記憶されているプログラムに従い本実施形態のユーザ端末７０の各部位を制御する。また、制御部７４は、時間を測定する機能であるタイマ機能を有している。また、制御部７４は、マイク７２を介して受け付けた音声に基づく音声データを、外部通信機７１及び通信ネットワーク６０を介して他のユーザ端末７０、又はオペレータ端末５０に送信すると同時に、通信ネットワーク６０及び外部通信機７１を介して他のユーザ端末７０、又はオペレータ端末５０から受信した音声データに基づく音声を、スピーカ７３を介して出力する処理である通話処理を行う事ができる。
【００４２】
操作部７５は、ユーザの操作を受け付ける部位であり、具体的にはメカニカルなキースイッチ等から構成される。
表示部７６は、各種表示を行う部位であり、具体的にはＬＣＤ等から構成される。
【００４３】
無線ＬＡＮ通信部７７は、ハンズフリー装置８０等と無線ＬＡＮ（例えばＩＥＥＥ８０２．１１ｂ等）による通信を行うための機能を有する部位である。ここで、ハンズフリー装置８０とは、通話処理において、ユーザ端末７０又はユーザ端末７０の一部を手に保持していなくてもユーザが発話した音声を集音すると共に、外部通信機７１を介して受信した音声データに基づく音声を、ユーザ端末７０又はユーザ端末７０の一部を手に保持していないユーザが聞こえる程度の音量で出力する装置である。
【００４４】
［動作の説明］
次に、通信システム１０の動作について説明する。
（１）会員情報について
通信システム１０は、会員のみが利用することができ、通信システム１０を構成するユーザ端末７０の所有者は全て会員となっており、１台のユーザ端末７０に対し１つの会員情報が存在する。ここでは、会員に関する情報である会員情報について、図３を用いて説明する。
【００４５】
図３の表は、会員情報から構成される会員情報データベース３０を説明するための表である。この表を構成する行が会員情報に相当する。会員情報は、「ＩＤ」と、「種別」と、「氏名」と、「職業」と、「年収」と、「趣味」と、「状態」と、「要望情報」とを少なくとも有している。
【００４６】
次に、会員情報の項目について説明する。
「ＩＤ」とは、会員情報及び会員情報に係るユーザ端末７０を特定するための番号である。
【００４７】
会員には、通信システム１０を営利目的で利用することが認められている法人会員と、通信システム１０を営利目的で利用することが認められていない個人会員が存在する。更に、個人会員には、オペレータからサービスの提供を受ける事ができるプレミアム会員と、オペレータからサービスの提供を受ける事ができない通常会員が存在する。「種別」とは、会員が、法人会員、プレミアム会員、及び通常会員のうちのいずれであるかを示す情報である。
【００４８】
「氏名」とは、会員の氏名を示す情報である。
「職業」とは、会員の職業を示す情報である。
「年収」とは、会員の年収を示す情報である。
【００４９】
「趣味」とは、会員の趣味を示す情報である。
「状態」とは、会員が他の会員との会話を希望しているか否かを示す情報である。「状態」には、通常状態と、スタンバイ状態と、通話状態が存在する。通常状態とは、会員情報に係るユーザ端末７０は、他の会員のユーザ端末７０と通話処理を実行しておらず、なおかつ、会員情報に係る会員は、他の会員との会話を要求していない状態である。スタンバイ状態とは、会員情報に係るユーザ端末７０は、他の会員のユーザ端末７０と通話処理を実行しておらず、なおかつ、会員情報に係る会員が、他の会員との会話を要求している状態である。通話状態とは、会員情報に係るユーザ端末７０が、他の会員のユーザ端末７０と通話処理を実行している状態である。
【００５０】
「要望情報」とは、他の会員とする会話に関する要望を示す情報である。「要望情報」は、所定の情報を提供する旨の情報、所定の情報を収集する旨の情報、又は話題を指定する情報のうちの、いずれか一つの情報を有する場合がある。また、この情報に加え、更に会話の相手を指定する情報を有する場合がある。会話をする相手を指定する情報とは、会員情報の項目に基づき会話の相手を指定する情報のことであり、具体的には、会話の相手の「種別」、「職業」、「趣味」等を指定する情報である。また、会員が会話に関する要望を有していない場合、「要望情報」は空値となる。
【００５１】
次に、「要望情報」の内容について具体的に説明する。図３に記載されている表において、「ＩＤ」が１００である会員情報の「要望情報」の内容である要望情報９１ａは、会員が、レストランに関する情報を収集する要望を有していることを示す。また、「ＩＤ」が１５０である会員情報の「要望情報」の内容である要望情報９１ｂは、会員が、レストランに関する情報を提供する要望を有しており、更に、「種別」がプレミアム会員である会員に対してこの情報を提供する要望を有していることを示す。また、「ＩＤ」が２００である会員情報の「要望情報」の内容である要望情報９１ｃは、会員が、釣りの話題に関して会話する要望を有しており、更に、「職業」が会社経営である会員と会話する要望を有していることを示す。また、「ＩＤ」が３００である会員情報の「要望情報」の内容である要望情報９１ｄは空値であり、会員が特に要望を有していないことを示す。尚、“−”は空値を示す。
【００５２】
（２）プレミアム会員が他の会員との会話を開始する際の処理について
ユーザ端末７０の制御部７４が有するＲＯＭには、ユーザ端末７０を所有する会員の種別を特定する情報が記憶されている。プレミアム会員が所有するユーザ端末７０の制御部７４が、操作部７５を介して、他の会員と会話をする旨の操作を受け付けた際の処理について、図４に記載のシーケンス図を用いて説明する。
【００５３】
Ｓ１０５では、ユーザ端末７０の制御部７４は、他のユーザ端末７０との通話処理を要求するコマンドである通話処理要求と、ユーザ端末７０がプレミアム会員に係るユーザ端末７０である旨の情報とを、外部通信機７１及び通信ネットワーク６０を介して情報センタ２０に送信する。
【００５４】
情報センタ２０を構成するサーバ４０は、プレミアム会員に係るユーザ端末７０から通話処理要求を受信すると、オペレータ端末５０を介して、オペレータ端末５０を操作するオペレータに通話処理要求を受信した旨を報知し（Ｓ１１０）、このユーザ端末７０と通話処理を行う１台のオペレータ端末５０を指定する。そして、Ｓ１１５に処理を移行する。
【００５５】
Ｓ１１５では、サーバ４０は、指定したオペレータ端末５０と、通話処理要求の送信元であるユーザ端末７０との通話処理の開始を指示するコマンドである通話処理開始指示を、通信ネットワーク６０を介して、このユーザ端末７０に送信する。
【００５６】
通信ネットワーク６０及び外部通信機７１を介して通話処理開始指示を受信したユーザ端末７０の制御部７４は、スピーカ７３を介して情報センタ２０を構成するオペレータ端末５０との通話処理を開始する旨をプレミアム会員に対して報知する。そして、制御部７４は、操作部７５を介してプレミアム会員からオペレータ端末５０との通話処理の開始を受諾する旨の操作を受け付け、このユーザ端末７０と、オペレータ端末５０の通話処理が開始される（Ｓ１２０）。
【００５７】
オペレータは、通話処理を介してプレミアム会員から他の会員と会話をする際の要望を聞き、プレミアム会員の要望を、情報センタ２０を構成するオペレータ端末５０に入力する（Ｓ１２５）。オペレータ端末５０は、入力された他の会員と会話をする際の要望をサーバ４０に出力し、Ｓ１３０に処理を移行する。
【００５８】
Ｓ１３０では、情報センタ２０を構成するサーバ４０は、オペレータ端末５０を介してプレミアム会員の要望を取得し、他の会員と会話をする際の要望を特定する情報である要望情報を生成し、この要望情報に基づき会員情報データベース３０を構成するプレミアム会員の会員情報を更新する。具体的には、サーバ４０は、プレミアム会員の会員情報の「状態」を通常状態からスタンバイ状態とし、生成した要望情報を「要望情報」とする。尚、会員が、他の会員と会話をする際の具体的な要望を有していない場合、サーバ４０は要望情報を空値とする。そして、Ｓ１３５に処理を移行する。
【００５９】
Ｓ１３５では、通話処理要求を受信したユーザ端末７０に係る会員の会員情報の「要望情報」と、この会員情報以外の会員情報であって、「状態」がスタンバイ状態である会員情報の「要望情報」に基づき、この会員の会話の相手となる会員を検索する。会員を検索する際の具体的な例については、後述する。
【００６０】
（３）法人会員又は通常会員が他の会員との会話を開始する際の処理について
ユーザ端末７０の制御部７４が有するＲＯＭには、ユーザ端末７０を所有する会員の種別を特定する情報が記憶されている。法人会員、又は通常会員（以後、法人会員等と記載する）が所有するユーザ端末７０の制御部７４が、操作部７５を介して、他の会員と会話をする旨の操作を受け付けた際の処理について、図５に記載のシーケンス図を用いて説明する。
【００６１】
Ｓ２０５では、ユーザ端末７０の制御部７４は、制御部７４が有するＲＯＭに記憶されている情報に基づき、このユーザ端末７０が車載用であるか否か判定する。車載用であると判定した場合（Ｓ２０５：Ｙｅｓ）、Ｓ２１０に処理を移行する。車載用でないと判定した場合（Ｓ２０５：Ｎｏ）、Ｓ２２５に処理を移行する。
【００６２】
Ｓ２１０では、ユーザ端末７０の制御部７４は、無線ＬＡＮ通信部７７を介してハンズフリー装置８０と接続されているか否か判定する。ハンズフリー装置８０と接続されていると判定した場合（Ｓ２１０：Ｙｅｓ）、Ｓ２１５に処理を移行する。ハンズフリー装置８０と接続されていないと判定した場合（Ｓ２１０：Ｎｏ）、Ｓ２２０に処理を移行する。
【００６３】
Ｓ２１５では、ユーザ端末７０の制御部７４は、会員が発話した音声により、他の会員と会話をする際の要望を受け付ける。具体的には、制御部７４は、表示部７６に操作画面を表示すると共に、音声による操作ガイドを行うための音声データを、無線ＬＡＮ通信部７７を介してハンズフリー装置８０に送信し、ハンズフリー装置８０は、受信した音声データに基づき音声を出力する。会員は、表示部７６に表示されている操作画面、及びハンズフリー装置８０から出力される音声に従いユーザ端末７０を操作するための発話を行い、ハンズフリー装置８０は、ユーザが発話した音声を集音し、集音した音声に基づき音声データを生成し、ユーザ端末７０に送信する。ユーザ端末７０の制御部７４は、ハンズフリー装置８０から無線ＬＡＮ通信部７７を介して受信した音声データに基づき、他の会員と会話をする際の要望を特定する情報である要望情報を生成する。尚、会員が、他の会員と会話をする際の具体的な要望を有していない場合、制御部７４は要望情報を空値とする。そして、Ｓ２３０に処理を移行する。
【００６４】
ユーザ端末７０にハンズフリー装置８０が接続されていない場合に行われるＳ２２０では、ユーザ端末７０の制御部７４は、図示しない車内ＬＡＮ通信部を介して取得した情報に基づき、車両が走行中であるか否かを判定する。車両が走行中であると判定した場合（Ｓ２２０：Ｙｅｓ）、処理を終了する。車両が走行中でないと判定した場合（Ｓ２２０：Ｎｏ）、Ｓ２２５に処理を移行する。
【００６５】
ユーザ端末７０が車両に搭載されていない場合と、ユーザ端末７０が車両に搭載されており、なおかつ、車両が走行中でない場合に行われるＳ２２５では、ユーザ端末７０の制御部７４は、会員から、操作部７５を介して、他の会員と会話をする際の要望を受け付ける。そして、操作部７５を介して受け付けた操作に基づき、他の会員と会話をする際の要望を特定する情報である要望情報を生成する。尚、会員が、他の会員と会話をする際の具体的な要望を有していない場合、制御部７４は要望情報を空値とする。そして、Ｓ２３０に処理を移行する。
【００６６】
Ｓ２３０では、ユーザ端末７０の制御部７４は、外部通信機７１及び通信ネットワーク６０を介して情報センタ２０に、他のユーザ端末７０との通話処理を要求するコマンドである通話処理要求と、他の会員と会話をする際の要望を特定する情報である要望情報とを送信する。
【００６７】
情報センタ２０を構成するサーバ４０は、通信ネットワーク６０を介して通話処理要求と要望情報とを受信すると、この要望情報に基づき会員情報データベース３０を構成する法人会員等の会員情報を更新する（Ｓ２３５）。具体的には、サーバ４０は、法人会員等の会員情報の「状態」を通常状態からスタンバイ状態とし、受信した法人会員等の要望情報を「要望情報」とする。そして、Ｓ２４０に処理を移行する。
【００６８】
Ｓ２４０では、通話処理要求を受信したユーザ端末７０に係る会員の会員情報の「要望情報」と、この会員情報以外の会員情報であって、「状態」がスタンバイ状態である会員情報の「要望情報」に基づき、この会員の会話の相手となる会員を検索する。会員を検索する際の具体的な例については、後述する。
【００６９】
（４）会話の相手を検索する処理について
次に、Ｓ１３５又はＳ２４０の処理において、情報センタ２０を構成するサーバ４０が、会員情報データベース３０から、通話処理要求の送信元であるユーザ端末７０に係る会員の会話の相手となる会員を検索する際の処理について説明する。
【００７０】
通話処理要求の送信元のユーザ端末７０に係る会員は、サーバ４０が選んだ一人の会員と通話処理を介して会話を行うが、この会話を行う会員同士の組み合わせは、両方の会員が有している要望を同時に満たすことができる組み合わせでなければならない。Ｓ１３５又はＳ２４０の処理において、サーバ４０は、この条件を満たすことができる会員を検索する。以下に、サーバ４０が、この会話の相手となる会員を検索する際の処理の具体的な例を挙げる。
【００７１】
図６に記載の表は、会員情報データベース３０を構成する会員情報のうち、「状態」がスタンバイ状態である会員情報の内容を示す表である。太枠で囲まれている「ＩＤ」が１００である会員情報９２は、直前に受信した通話処理要求の送信元であるユーザ端末７０に係る会員情報である。会員情報９２の「要望情報」は、会員がレストランに関する情報を収集する要望を有していることを示している。また、この会員情報の「種別」は、プレミアム会員である。従って、サーバ４０は、「要望情報」が、レストランに関する情報を提供する要望を示しており、なおかつ、「種別」がプレミアム会員である会員情報に係る会員に情報を提供する要望を示している、「ＩＤ」が１５０である会員情報に係る会員を、会話の相手として抽出する。
【００７２】
同様に、図７に記載の表は、会員情報データベース３０を構成する会員情報のうち、「状態」がスタンバイ状態である会員情報の内容を示す表である。太枠で囲まれている「ＩＤ」が１５０である会員情報９３は、直前に受信した通話処理要求の送信元であるユーザ端末７０に係る会員情報である。会員情報９３の「要望情報」は、会員がレストランに関する情報を提供する要望を有していることを示している。従って、サーバ４０は、「要望情報」がレストランに関する情報を収集する要望を示している、「ＩＤ」が２００である会員情報に係る会員を、会話の相手として抽出する。
【００７３】
同様に、図８に記載の表は、会員情報データベース３０を構成する会員情報のうち、「状態」がスタンバイ状態である会員情報の内容を示す表である。太枠で囲まれている「ＩＤ」が３００である会員情報９４は、直前に受信した通話処理要求の送信元であるユーザ端末７０に係る会員情報である。会員情報９４の「要望情報」は、会員が野球に関する話題の会話をする要望を有していることを示している。従って、サーバ４０は、「要望情報」が野球に関する話題の会話をする要望を示している、「ＩＤ」が５００である会員情報に係る会員を、会話の相手として抽出する。
【００７４】
同様に、図９に記載の表は、会員情報データベース３０を構成する会員情報のうち、「状態」がスタンバイ状態である会員情報の内容を示す表である。太枠で囲まれている「ＩＤ」が５００である会員情報９５は、直前に受信した通話処理要求の送信元であるユーザ端末７０に係る会員情報である。会員情報９５の「要望情報」は空値となっており、会員は、会話に関する要望を有していないことを示している。このような場合、サーバ４０は、会員情報９５の「趣味」と一致する「趣味」を有する会員情報に係る会員を会話の相手として抽出する。従って、サーバ４０は、「趣味」が野球である、「ＩＤ」が３００である会員情報に係る会員を、会話の相手として抽出する。
【００７５】
（５）会話の相手となる会員の検索に成功した際の処理について
次に、Ｓ１３５又はＳ２４０の処理において会話の相手となる会員の検索に成功した際の処理について、図１０のシーケンス図を用いて説明する。尚、ここでは、直前に情報センタ２０を構成するサーバ４０が受信した通話処理要求の送信元であるユーザ端末７０をユーザ端末Ａ、ユーザ端末Ａに係る会員を会員Ａ、ユーザ端末Ａに係る会員の会話の相手としてサーバ４０が検索した会員を会員Ｂ、会員Ｂに係るユーザ端末７０をユーザ端末Ｂと記載する。
【００７６】
Ｓ３０５では、情報センタ２０を構成するサーバ４０は、会員情報データベース３０から、会員Ａに係る会員情報を抽出し、Ｓ３１０に処理を移行する。
Ｓ３１０では、情報センタ２０を構成するサーバ４０は、会員Ａに係る会員情報が有する会員Ａの「氏名」、「職業」、「趣味」等の個人情報を、通信ネットワーク６０を介してユーザ端末Ｂに送信し、Ｓ３１５に処理を移行する。
【００７７】
Ｓ３１５では、情報センタ２０を構成するサーバ４０は、会員情報データベース３０から、会員Ｂに係る会員情報を抽出し、Ｓ３２０に処理を移行する。
Ｓ３２０では、情報センタ２０を構成するサーバ４０は、会員Ｂに係る会員情報が有する会員Ｂの「氏名」、「職業」、「趣味」等の個人情報を、通信ネットワーク６０を介してユーザ端末Ａに送信する。
【００７８】
会員Ａの個人情報を受信したユーザ端末Ｂの制御部７４は、会員Ａの個人情報を、表示部７６を介して会員Ｂに報知する（Ｓ３２５）。
会員Ｂの個人情報を受信したユーザ端末Ａの制御部７４は、会員Ｂの個人情報を、表示部７６を介して会員Ａに報知する（Ｓ３３０）。
【００７９】
会員Ｂの個人情報の送信後、情報センタ２０を構成するサーバ４０は、ユーザ端末Ａに対し、ユーザ端末Ｂとの通話処理の開始を指示するコマンドである通話処理開始指示を送信する（Ｓ３３５）。また、これと同時に、サーバ４０は、ユーザ端末Ｂに対し、ユーザ端末Ａとの通話処理の開始を指示するコマンドである通話処理開始指示を送信する（Ｓ３４０）。そして、Ｓ３４５に処理を移行する。
【００８０】
Ｓ３４５では、情報センタ２０を構成するサーバ４０は、ユーザ端末Ａ及びユーザ端末Ｂに係る会員情報の「状態」を、スタンバイ状態から通話状態に変更する。
通話処理開始指示を受信したユーザ端末Ａの制御部７４は、スピーカ７３を介して会員Ａに、通話処理を開始する旨を報知する。そして、制御部７４は、会員Ａが通話処理の開始を受諾する旨の操作を、操作部７５を介して受け付けると、ユーザ端末Ｂとの通話処理を開始する（Ｓ３５０）。
【００８１】
同様に、通話処理開始指示を受信したユーザ端末Ｂの制御部７４は、スピーカ７３を介して会員Ｂに、通話処理を開始する旨を報知する。そして、制御部７４は、会員Ｂが通話処理の開始を受諾する旨の操作を、操作部７５を介して受け付けると、ユーザ端末Ａとの通話処理を開始する（Ｓ３５５）。
【００８２】
（６）会話の相手となる会員の検索に失敗した際の処理について
次に、Ｓ１３５又はＳ２４０の処理において会話の相手となる会員の検索に失敗した際の処理について、図１１のシーケンス図を用いて説明する。
【００８３】
情報センタ２０を構成するサーバ４０は、会話の相手となる会員の検索に失敗した旨を、通信ネットワーク６０を介して、直前に受信した通話要求処理の送信元であるユーザ端末７０に送信する（Ｓ４０５）。
【００８４】
会話の相手となる会員の検索に失敗した旨を通信ネットワーク６０及び外部通信機７１を介して受信したユーザ端末７０の制御部７４は、会員に対し表示部７６を介して会話の相手が見つからなかった旨を報知する（Ｓ４１０）。そして、Ｓ４１５に処理を移行する。
【００８５】
Ｓ４１５では、ユーザ端末７０の制御部７４は、会話の相手となる会員の検索に失敗した旨を受信した後の時間を測定するため、制御部７４が有するタイマ機能を起動し、Ｓ４２０に処理を移行する。
【００８６】
Ｓ４２０では、ユーザ端末７０の制御部７４は、制御部７４が有するタイマ機能を用いて、会話の相手となる会員の検索に失敗した旨を受信した後、所定の時間が経過したか否か判定する。所定の時間が経過していない場合（Ｓ４２０：Ｎｏ）、再度Ｓ４２０の処理を行う。所定の時間が経過した場合（Ｓ４２０：Ｙｅｓ）、Ｓ４２５に処理を移行する。
【００８７】
Ｓ４２５では、ユーザ端末７０の制御部７４は、外部通信機７１及び通信ネットワーク６０を介して情報センタ２０に対し、通話処理要求を取り下げる旨を送信し、Ｓ４３０に処理を移行する。
【００８８】
Ｓ４３０では、ユーザ端末７０の制御部７４は、ユーザ端末７０に係る会員に対し、表示部７６を介して通話処理要求を取り下げる旨を報知する。
通信ネットワーク６０を介して通話処理要求を取り下げる旨を受信した情報センタ２０を構成するサーバ４０は、通話処理要求を取り下げる旨の送信元であるユーザ端末７０に係る会員情報の「状態」を、スタンバイ状態から通常状態に変更すると共に、この会員情報の「要望情報」を空値とする（Ｓ４３５）。
【００８９】
［効果］
本実施形態の通信システム１０によれば、情報センタ２０を構成するサーバ４０は、通話処理要求の送信元であるユーザ端末７０に係る会員の会話の相手として、会員情報の「状態」がスタンバイ状態となっている会員情報に係る会員を検索し（Ｓ１３５、Ｓ２４０）、検索に成功した場合、これらの会員に係るユーザ端末７０同士の通話処理を開始させる（Ｓ３３５、Ｓ３４０）。従って、他の会員と会話を希望している会員同士で会話を行う事が可能となり、通信システム１０の会員は、未知の相手と会話をすることが可能となる。
【００９０】
また、情報センタ２０を構成するサーバ４０は、ユーザ端末７０又はオペレータ端末５０を介して会員が有している会話に関する要望を受け付け（Ｓ１２５、Ｓ２１５、Ｓ２２５）、この要望を特定する要望情報を会員情報の「要望情報」とする（Ｓ１３０、Ｓ２３５）。そして、サーバ４０は、会員情報の「要望情報」に基づき、会話を行う会員が有している要望を満たすことができる会員を検索し（Ｓ１３５、Ｓ２４０）、これらの会員に係るユーザ端末７０同士の通話処理を開始させる（Ｓ３３５、Ｓ３４０）。従って、会員は、自分の要望に合致した会話を楽しむ事が可能となる。
【００９１】
また、所定のテーマに関する情報の収集を目的としている会員は、同じテーマに関する情報の提供を目的としている会員と会話をすることができる。従って、会員は、自分の目的に合致した会話を行う事が可能となる。更に、例えば、会員が、会話に関する要望としてレストランに関する情報の収集を端末に入力した場合、この会員は、この通信システム１０の法人会員である複数の飲食店の関係者からレストランに関する情報を収集することができる。従って、レストランに関する情報を収集する会員は、レストランに関するいわゆる逆オークションを行うことが可能となる。
【００９２】
また、所定の話題について会話する要望を有している会員は、同じ話題について会話する要望を有している会員と会話をすることができる。従って、会員は、自分が希望している話題に関して会話することが可能となり、会話をより楽しむことが可能となる。
【００９３】
また、会員が会話に関して特に要望を有していない場合、会員情報の「趣味」が一致する相手と会話をすることができる。従って、会員は、煩雑な操作を行い会話に関する要望を入力しなくても話題が合う可能性が高い相手と会話をすることが可能となり、会話をより楽しむことが可能となる。
【００９４】
また、プレミアム会員は、口頭でオペレータに会話に関する要望を伝え、オペレータは、プレミアム会員から聞いた会話に関する要望をオペレータ端末５０入力し（Ｓ１２５）、情報センタ２０を構成するサーバ４０は、この要望を特定する情報である要望情報を、会員情報の「要望情報」とする（Ｓ１３０）。従って、プレミアム会員は、面倒な操作を行わなくとも自分の要望と合致した会話をすることが可能となる。
【００９５】
また、情報センタ２０を構成するサーバ４０は、会話を行う会員に、会話を行う相手となる会員の個人情報を送信し（Ｓ３１０、Ｓ３２０）、ユーザ端末７０は、会話を行う相手の個人情報を会員に報知する（Ｓ３２５、Ｓ３３０）。従って、会員は、会話を行う相手の職業等を知る事ができるため、安心して会話をすることが可能となる。
【００９６】
また、情報センタ２０がユーザ端末７０から通話処理要求を受信した後、一定の時間が経過しても会話の相手が見つからない場合、ユーザ端末７０の制御部７４は、通話処理要求を取り下げる旨を情報センタ２０に対し送信する（Ｓ４２５）。従って、会員は、通話処理要求を取り下げるための操作を行う必要がなくなり、ユーザ端末７０の使い勝手を向上させることができる。
【００９７】
また、ユーザ端末７０はハンズフリー装置８０と接続し、このハンズフリー装置８０を介して音声による操作ガイドを行い、更に、このハンズフリー装置８０を介して、会員が発話した音声により会話に関する要望を受け付ける（Ｓ２１５）。従って、会員は、車両を運転している最中であっても、容易に通信システム１０を利用することができる。
【００９８】
［他の実施形態］
（１）ユーザ端末７０の制御部７４は、会話の相手となる会員の個人情報を受信し、この個人情報を会員に報知した後、会員からこの相手と会話を行うか否かの選択を受け付けても良い。こうすることにより、会員は嫌な相手との会話を避ける事が可能となり、会員はより会話を楽しむ事が可能となる。
【００９９】
（２）ユーザ端末７０同士の通話処理を開始させる際、情報センタ２０のサーバ４０は、一方のユーザ端末７０に、会話の相手となるユーザ端末７０を特定する情報を送信しても良い。そして、会話の相手となるユーザ端末７０を特定する情報を受信したユーザ端末７０の会員は、この情報に基づき会話の相手となるユーザ端末７０と直接通信を行い、通話処理を開始することとしても良い。こうすることにより、情報センタ２０のサーバ４０がユーザ端末７０同士の双方向通信を中継する機能を有していなくても、会員は、未知の会員と会話をすることができる。
【０１００】
［特許請求の範囲との対応］
上記実施形態の説明で用いた用語と、特許請求の範囲の記載に用いた用語との対応を示す。
【０１０１】
ユーザ端末７０が端末に、外部通信機７１が端末側通信手段に、制御部７４が端末側制御手段に、操作部７５が受付手段に、会員情報データベース３０が情報センタ側記憶手段に記憶されている会員リストに、サーバ４０が情報センタ側制御手段に、サーバ４０が有する図示しない外部通信機が情報センタ側通信手段に相当する。
【０１０２】
また、ユーザ端末７０同士の通話処理が通話処理に、Ｓ１３０及びＳ２４０の処理が抽出処理に、Ｓ３３５及びＳ３４０の処理が抽出した複数の前記端末による前記通話処理を開始させる処理に相当する。
【０１０３】
また、表示部７６が報知手段に、会員情報の項目である「ＩＤ」が示す情報が端末を特定する情報に、無線ＬＡＮ通信部７７がハンズフリー装置通信手段に相当する。
【図面の簡単な説明】
【０１０４】
【図１】通信システムの構成を示すブロック図である。
【図２】ユーザ端末の構成を示すブロック図である。
【図３】会員情報データベースの説明図である。
【図４】ユーザ端末が、プレミアム会員から他の会員と会話をする旨の操作を受け付けた際の処理について説明するためのシーケンス図である。
【図５】ユーザ端末が、法人会員又は通常会員から他の会員と会話をする旨の操作を受け付けた際の処理について説明するためのシーケンス図である。
【図６】会員を検索する際の具体的な例について説明するための表である。
【図７】会員を検索する際の具体的な例について説明するための表である。
【図８】会員を検索する際の具体的な例について説明するための表である。
【図９】会員を検索する際の具体的な例について説明するための表である。
【図１０】会話の相手となる会員の検索に成功した際の処理について説明するためのシーケンス図である。
【図１１】会話の相手となる会員の検索に失敗した際の処理について説明するためのシーケンス図である。
【符号の説明】
【０１０５】
１０…通信システム、２０…情報センタ、３０…会員情報データベース、４０…サーバ、５０…オペレータ端末、６０…通信ネットワーク、７０…ユーザ端末、７１…外部通信機、７２…マイク、７３…スピーカ、７４…制御部、７５…操作部、７６…表示部、７７…無線ＬＡＮ通信部、８０…ハンズフリー装置、９１ａ…要望情報、９１ｂ…要望情報、９１ｃ…要望情報、９１ｄ…要望情報、９２…会員情報、９３…会員情報、９４…会員情報、９５…会員情報。
【図１】
2008301220.tif 000003
【図２】
2008301220.tif 000004
【図３】
2008301220.tif 000005
【図４】
2008301220.tif 000006
【図５】
2008301220.tif 000007
【図６】
2008301220.tif 000008
【図７】
2008301220.tif 000009
【図８】
2008301220.tif 000010
【図９】
2008301220.tif 000011
【図１０】
2008301220.tif 000012
【図１１】
2008301220.tif 000013